(57)【特許請求の範囲】
【請求項１】
室内を仕切るパーテーション装置において、
互いに平行な表面及び裏面を有した中空矩形板状を成し、該表面と該裏面との厚み方向に平行な一つの面が開口されている固定壁と、
前記固定壁内に入り込める大きさであって矩形板状を成し、該固定壁内に入っている収納状態と、該固定壁の前記開口からほとんどが突出している突出状態との間で、該固定壁の前記表面に平行にスライド可能な１以上の可動壁と、
前記固定壁の前記表面に取り付けられ、該固定壁の傾倒を防ぐ収納筐体と、
一以上の前記可動壁のうち、全ての可動壁が前記突出状態になった際に、前記固定壁から最も遠い可動壁（以下、最先端側可動壁とする。）には、該最先端側可動壁の厚み方向に平行な面で該突出状態の際に該固定壁から最も遠い面（以下、最先端側面とする。）に、該固定壁の前記表面に対して垂直方向に広がるカーテン機構と、
を備えていることを特徴とするパーテーション装置。
【請求項２】
室内を仕切るパーテーション装置において、
互いに平行な表面及び裏面を有した中空矩形板状を成し、該表面と該裏面との厚み方向に平行な一つの面が開口されている固定壁と、
前記固定壁内に入り込める大きさであって矩形板状を成し、該固定壁内に入っている収納状態と、該固定壁の前記開口からほとんどが突出している突出状態との間で、該固定壁の前記表面に平行にスライド可能な１以上の可動壁と、
前記固定壁の前記表面に取り付けられ、該固定壁の傾倒を防ぐ収納筐体と、
前記固定壁の前記表面に設けられ、該表面と向い合う収納状態と、該表面に対して垂直な使用状態とに揺動可能な座板と、
を備えていることを特徴とするパーテーション装置。
【請求項３】
請求項１及び２のいずれか一項に記載のパーテーション装置において、
複数の前記可動壁を有し、
複数の前記可動壁のうち、第一の可動壁は、前記固定壁内に入り込める大きさであって中空矩形板状を成し、該固定壁内に入っている収納状態と、該固定壁の前記開口からほとんどが突出している突出状態との間で、スライド可能であり、該第一の可動壁の厚み方向に平行な面であって、該突出状態の際に固定壁から最も遠い面が開口されており、
複数の前記可動壁のうち、第二の可動壁以降は、前記固定壁側の可動壁（以下、固定側可動壁とする。）内に入り込める大きさであって矩形板状を成し、該固定側可動壁内に入っている収納状態と、該固定側可動壁の開口からほとんどが突出している突出状態との間で、スライド可能である、
ことを特徴とするパーテーション装置。
【請求項４】
請求項１から３のいずれか一項に記載のパーテーション装置において、
一以上の前記可動壁をそれぞれ前記突出状態と前記収納状態との間で移動させるスライド機構を有することを特徴とするパーテーション装置。
【請求項５】
請求項１から４のいずれか一項に記載のパーテーション装置において、
前記カーテン機構は、
カーテンシートと、
前記カーテンシートが巻き付けられるカーテンロール芯と、
前記カーテンロール芯が、前記最先端側可動壁の前記最先端側面及び前記固定壁の前記表面に平行な収納状態と、該最先端側面に平行で且つ該固定壁の該表面に垂直な使用状態とに、該最先端側面の上端部を基点として揺動可能に、該カーテンロール芯を支持する揺動支持手段と、
を有することを特徴とするパーテーション装置。
【請求項６】
請求項１から５のいずれか一項に記載のパーテーション装置において、
一以上の前記可動壁のうち、全ての可動壁が前記突出状態になった際に、前記固定壁から最も遠い可動壁には、該突出状態の際に該固定壁から遠い部分の下部に、キャスタが設けられている、
ことを特徴とするパーテーション装置。
【請求項７】
請求項１から６のいずれか一項に記載のパーテーション装置において、
一以上の前記可動壁のうち、全ての可動壁が前記突出状態になった際に、前記固定壁から最も遠い可動壁には、該突出状態の際に該固定壁から遠い部分に取っ手が設けられている、
ことを特徴とするパーテーション装置。
【請求項８】
請求項１から７のいずれか一項に記載のパーテーション装置において、
前記固定壁の前記表面又は前記収納筐体と、該固定壁の前記裏面とのうち、少なくとも一方には、室内の固定物に取り付けられる取付部を有する傾倒防止部材が設けられている、
ことを特徴とするパーテーション装置。
【請求項９】
請求項１から８のいずれか一項に記載のパーテーション装置において、
前記固定壁の前記表面又は前記収納筐体には、外部へ情報を送るための及び／又は外部から情報を受け取るための通信装置が設けられている、
ことを特徴とするパーテーション装置。
【発明の詳細な説明】
【０００１】
【発明の属する技術分野】
本発明は、室内を仕切るパーテーション装置に関する。
【０００２】
【従来の技術】
従来のパーテーション装置としては、単にカーテンーシートを用いるものや、複数の壁面板を用いるもの等がある。
【０００３】
カーテンシートを用いるものは、室内の天井にレールを設け、そこをカーテンシートの上端を取り付け、開閉できるようにしている。
また、複数の壁板を用いるものは、互いに蝶番で連結し、複数の壁板を折り畳んで閉状態にし、複数の壁板を広げて開状態にしている。
【０００４】
【発明が解決しようとする課題】
しかしながら、カーテンシートを用いるものでは、構造が簡単でコストが抑えることができるものの、仕切部材であるカーテンシートが薄いため、カーテンシートで仕切られた一方の空間と他方の空間との間でプライバシーが保てないという問題点がある。
【０００５】
また、複数の壁板を用いるものは、仕切部材である壁板が比較的厚いために、壁板で仕切られた一方の空間と他方の空間との間でプライバシーがある程度保てるものの、閉状態から開状態へ又は開状態から閉状態へ移行する過程で、壁板が床面に対して垂直なまま、壁板を広げる方向に対して一時的に傾くので、壁板を広げる方向に対して垂直な方向に空間が必要になり、壁板の傍に物を置けない等、開状態の際の全ての壁板の周囲を有効に利用できないと問題点がある。
【０００６】
本発明は、このような従来の問題点に着目し、プライバシーをある程度保つことができると共に、回りの空間を有効利用することができるパーテーション装置を提供することを目的とする。
【０００７】
【課題を解決するための手段】
前記目的を達成するための第一のパーテーション装置は、
互いに平行な表面及び裏面を有した中空矩形板状を成し、該表面と該裏面との厚み方向に平行な一つの面が開口されている固定壁と、
前記固定壁内に入り込める大きさであって矩形板状を成し、該固定壁内に入っている収納状態と、該固定壁の前記開口からほとんどが突出している突出状態との間で、該固定壁の前記表面に平行にスライド可能な１以上の可動壁と、
前記固定壁の前記表面に取り付けられ、該固定壁の傾倒を防ぐ収納筐体と、
一以上の前記可動壁のうち、全ての可動壁が前記突出状態になった際に、前記固定壁から最も遠い可動壁（以下、最先端側可動壁とする。）には、該最先端側可動壁の厚み方向に平行な面で該突出状態の際に該固定壁から最も遠い面（以下、最先端側面とする。）に、該固定壁の前記表面に対して垂直方向に広がるカーテン機構と、
を備えていることを特徴とするものである。
【０００８】
前記目的を達成するための第二のパーテーション装置は、
互いに平行な表面及び裏面を有した中空矩形板状を成し、該表面と該裏面との厚み方向に平行な一つの面が開口されている固定壁と、
前記固定壁内に入り込める大きさであって矩形板状を成し、該固定壁内に入っている収納状態と、該固定壁の前記開口からほとんどが突出している突出状態との間で、該固定壁の前記表面に平行にスライド可能な１以上の可動壁と、
前記固定壁の前記表面に取り付けられ、該固定壁の傾倒を防ぐ収納筐体と、
前記固定壁の前記表面に設けられ、該表面と向い合う収納状態と、該表面に対して垂直な使用状態とに揺動可能な座板と、
を備えていることを特徴とするものである。
【０００９】
前記目的を達成するための第三のパーテーション装置は、
前記第一及び第二のいずれかのパーテーション装置において、
複数の前記可動壁を有し、
複数の前記可動壁のうち、第一の可動壁は、前記固定壁内に入り込める大きさであって中空矩形板状を成し、該固定壁内に入っている収納状態と、該固定壁の前記開口からほとんどが突出している突出状態との間で、スライド可能であり、該第一の可動壁の厚み方向に平行な面であって、該突出状態の際に固定壁から最も遠い面が開口されており、
複数の前記可動壁のうち、第二の可動壁以降は、前記固定壁側の可動壁（以下、固定側可動壁とする。）内に入り込める大きさであって矩形板状を成し、該固定側可動壁内に入っている収納状態と、該固定側可動壁の開口からほとんどが突出している突出状態との間で、スライド可能であることを特徴とするものである。
【００１０】
前記目的を達成するための第四のパーテーション装置は、
前記第一から第三のいずれかのパーテーション装置において、
一以上の前記可動壁をそれぞれ前記突出状態と前記収納状態との間で移動させるスライド機構を有することを特徴とするものである。
【００１１】
前記目的を達成するための第五のパーテーション装置は、
前記第一から第四のいずれかのパーテーション装置において、
前記カーテン機構は、
カーテンシートと、
前記カーテンシートが巻き付けられるカーテンロール芯と、
前記カーテンロール芯が、前記最先端側可動壁の前記最先端側面及び前記固定壁の前記表面に平行な収納状態と、該最先端側面に平行で且つ該固定壁の該表面に垂直な使用状態とに、該最先端側面の上端部を基点として揺動可能に、該カーテンロール芯を支持する揺動支持手段と、
を有することを特徴とするものである。
【００１２】
前記目的を達成するための第六のパーテーション装置は、
前記第一から第五のいずれかのパーテーション装置において、
一以上の前記可動壁のうち、全ての可動壁が前記突出状態になった際に、前記固定壁から最も遠い可動壁には、該突出状態の際に該固定壁から遠い部分の下部に、キャスタが設けられていることを特徴とするものである。
【００１３】
前記目的を達成するための第七のパーテーション装置は、
前記第一から第六のいずれかのパーテーション装置において、
一以上の前記可動壁のうち、全ての可動壁が前記突出状態になった際に、前記固定壁から最も遠い可動壁には、該突出状態の際に該固定壁から遠い部分に取っ手が設けられていることを特徴とするものである。
【００１４】
前記目的を達成するための第八のパーテーション装置は、
前記第一から第七のいずれかのパーテーション装置において、
前記固定壁の前記表面又は前記収納筐体と、該固定壁の前記裏面とのうち、少なくとも一方には、室内の固定物に取り付けられる取付部を有する傾倒防止部材が設けられていることを特徴とするものである。
【００１６】
前記目的を達成するための第九のパーテーション装置は、
前記第一からの第八のいずれかのパーテーション装置において、
前記固定壁の前記表面又は前記収納筐体には、外部へ情報を送るための及び／又は外部から情報を受け取るための通信装置が設けられていることを特徴とするものである。
【００１７】
【発明の実施の形態】
以下、本発明に係るパーテーション装置の一実施形態について、図面を用いて説明する。
【００１８】
本実施形態のパーテーション装置は、病院の入院患者用の大部屋を仕切るためのもので、図１に示すように、中空矩形板状の固定壁１０と、固定壁１０内に入り込める中空矩形板状の第一の可動壁（固定側可動壁）２０と、第一の可動壁２０内に入り込める矩形板状の第二の可動壁（最先端側可動壁）３０と、固定壁１０の表面１１に取り付けられている収納筐体８０と、第二の可動壁３０に取り付けられているカーテン機構４０と、を備えている。
【００１９】
中空矩形板状の固定壁１０は、図１、図５及び図７に示すように、互いに向い合っている表面１１及び裏面１２と、同じく互いに向い合っている天面１３及び底面１４と、一の側面１６とを有している。固定壁１０の一の側面１６と対向している部分は、開口１５が形成されている。第一の可動壁２０は、この開口１５から固定壁１０内に入ることができる。同じく中空矩形板状の第一の可動壁２０も、互いに向い合っている表面２１及び裏面２２と、同じく互いに向い合っている天面２３及び底面２４と、一の側面２６とを有している。第一の可動壁２０の一の側面２６と対向している部分も、開口２５が形成されている。第二の可動壁３０は、この開口２５から第一の可動壁２０内に入ることができる。矩形板状の第二の可動壁３０は、互いに向い合っている表面３１及び裏面３２と、同じく互いに向い合っている天面３３及び底面３４と、互いに向い合っている二つの側面３５，３６とを有している。
【００２０】
固定壁１０の底面１４の上には、図７及び図８に示すように、スライドレール１７が設けられている。このスライドレール１７には、固定壁１０の底面１４に固定される基底部１７ａと、この基底部１７ａから垂直に立ち上がっている二つの鉛直部１７ｂ，１７ｂと、この二つの鉛直部１７ｂ，１７ｂをつないでいる水平部１７ｃとが形成されている。第一の可動壁２０は、この固定壁スライドレール１７上をスライドするスライドレール２７を有している。この第一の可動壁スライドレール２７には、固定壁スライドレール１７の基底部１７ａに対向している基底部２７ａと、固定壁スライドレール１７の二つの鉛直部１７ｂに対向している二つの鉛直部２７ｂ，２７ｂと、この二つの鉛直部２７ｂ，２７ｂをつなぎ且つ固定壁スライドレール１７の水平部１７ｃに対向している水平部２７ｃとが形成されている。固定壁スライドレール１７の水平部１７ｃと第一の可動壁スライドレール２７の水平部２７ｃとの間、固定壁スライドレール１７の鉛直部１７ｂ，１７ｂと第一の可動壁スライドレール２７の鉛直部２７ｂ，２７ｂとの間には、円柱状のローラ２７ｄ，２７ｄ，２７ｅが配されている。以上の構成により、第一の可動壁２０は、固定壁１０内に入っている収納状態と、固定壁１０の開口１５からほとんどが突出している突出状態との間で、固定壁１０の表面１１に対して平行に滑らかにスライドすることができる。また、第二の可動壁３０は、第一の可動壁スライドレール２７上をスライドするスライドレール３７を有している。この第二の可動壁スライドレール３７には、第一の可動壁スライドレール２７の二つの鉛直部２７ｂ，２７ｂに対向している二つの鉛直部３７ｂ，３７ｂと、この二つの鉛直部３７ｂ，３７ｂをつなぎ且つ第一の可動壁スライドレール２７の水平部２７ｃに対向している水平部３７ｃとが形成されている。第一の可動壁スライドレール２７の水平部２７ｃと第二の可動壁スライドレール３７の水平部３７ｃとの間、第一の可動壁スライドレール２７の鉛直部２７ｂ，２７ｂと第二の可動壁スライドレール３７の鉛直部３７ｂ，３７ｂとの間には、円柱状のローラ３７ｄ，３７ｄ，３７ｅが配されている。以上の構成により、第二の可動壁３０は、第一の可動壁２０内に入っている収納状態と、第一の可動壁２０の開口２５からほとんどが突出している突出状態との間で、固定壁１０の表面１１に対して平行に滑らかにスライドすることができる。
【００２１】
なお、第一の可動壁スライドレール２７の基底部２７ａの底面は、第一の可動壁２０の底面２４を形成しており、第二の可動壁スライドレール３７の水平部３７ｃの底面は、第二の可動壁３０の底面３４を形成している。
【００２２】
図７及び図９に示すように、第一の可動壁２０の側面２６側のフレーム２８、及び第二可動壁３０の側面３６側のフレーム３８には、それぞれ、ストッパ２８ａ，３８ａが設けられている。第一の可動壁２０のストッパ２８ａは、固定壁１０の開口側のフレーム１９に接触することで、第一の可動壁２０の突出限界を規制する。また、第二の可動壁３０のストッパ３８ａは、第一の可動壁２０の開口側のフレーム２９に接触することで、第二の可動壁３０の突出限界を規制する。
【００２３】
固定壁１０内には、図１３に示すように、第一の可動壁２０をスライドさせるスライドド機構６０が設けられている。このスライド機構６０は、駆動モータ６１と、駆動スプロケット６２と、従動スプロケット６３と、これらのスプロケット６２，６３に掛け渡されているチェーン６５と、このチェーン６５に固定されている連結ブロック６６と、連結ブロック６６と第一の可動壁２０とを連結する連結アーム６７とを有している。駆動モータ６１は、固定壁１０の開口から最も奥側に設けられ、固定壁１０の側面１６に固定されている。駆動スプロケット６２は、この駆動モータ６１の駆動軸に取り付けられている。従動スプロケット６３は、固定壁１０内であって、最も開口側に配されている。この従動スプロケット６３は、固定壁１０の天面１３の裏に設けられている軸受６４により支持されている。連結アーム６７は、チェーン６５に固定されている連結ブロック６６と、第一の可動壁２０の側面２６とを連結している。以上の構成により、駆動モータ６１が駆動して、チェーン６５が回ると、これに伴う連結ブロック６６の移動で、第一の可動壁２０が移動する。以上で述べたスライド機構６０は、第二の可動壁３０を移動させるために、第一の可動壁２０内にも設けられている。
【００２４】
固定壁１０の表面１１には、図１及び図４に示すように、その上部に空気清浄器７１及びコートハンガー７２が設けられ、その中部にフォトフレーム７３、カメラ７４及び液晶テレビ７５が設けられ、その下部に収納筐体８０、座板７６及びコンセント７７が設けられている。座板７６は、図４及び図６に示すように、固定壁１０の表面１１と向い合う収納状態と表面１１に対して垂直な使用状態とに揺動可能に、固定壁１０の表面１１にヒンジ機構で取り付けられている。
【００２５】
収納筐体８０は、図１及び図４に示すように、略直方体形状を成し、その天面８３に、非常呼び出しスイッチ８３ａと、テレビ７５の操作スイッチ８３ｂと、第一の可動壁２０及び第二の可動壁３０を移動させるためのスライドスイッチ８３ｃと、スピーカー８３ｄとが設けられている。また、収納筐体８０の側面８５の上部には、図１及び図２に示すように、食事用テーブル８５ｂが出没自在に設けられていると共に、鍵付き引き出し８５ａが設けられ、収納筐体８０の側面８５の下部には、扉８５ｃが設けられている。固定壁１０に設けらられているカメラ７４及び液晶テレビ７５、収納筐体８０に設けられている非常呼び出しスイッチ８３ａ、操作スイッチ８３ｂ及びスピーカー８３ｄは、いずれも通信装置の端末を構成している。なお、通信装置としては、以上の他、テレビをテレビ電話として使用する際の音声を外部に伝えるためのマイクがあるが、これは、患者の口元に持って行けるよう移動自在で、ここでは図示していない。
【００２６】
収納筐体８０の正面８１には、転倒防止金具８２が設けられている。この転倒防止金具８２は、図５に示すように、固定壁１０の背面１２にも同様に設けられている。この転倒防止金具８２は、その先端部に、ベッドの脚が挿通される取付部８２ａが形成されている。
【００２７】
固定壁１０の底面１４及び収納筐体８１の底面には、図４及び図６に示すように、移動のためのキャスタ１４ａ，８４ａが設けられている。
【００２８】
第二の可動壁（最先端側可動壁）３０の表面３１であって、図１及び図４に示すように、固定壁１０から最も遠い位置には、取っ手３９が取り付けられている。また、第二の可動壁３０の底面３４であって、固定壁１０から最も遠い位置には、キャスタ基板３４ｂを介してキャスタ３４ａが設けらられている。さらに、第二の可動壁３０の二つの側面３５，３６のうち、固定壁１０から最も遠い側面（最先端側面）３５には、ロールカーテン機構４０が取り付けられている。
【００２９】
ロールカーテン機構４０は、図１０に示すように、カーテンシート４１と、このカーテンシート４１が巻き付けられるロール芯４２と、このロール芯４２に沿って伸び、このロール芯４２に巻き付いているカーテンシート４１の一部を覆うカバー４３と、ロール芯４２を揺動可能に第二の可動壁３０の側面３５に取り付ける揺動支持機構５０と、を有している。
【００３０】
揺動支持機構５０は、図１１に示すように、ロール芯４２の基部が固定されているブラケット５１と、このブラケット５１を貫通している揺動軸５２と、この揺動軸５２の一方の端部に固定されている解除ボタン５３と、揺動軸５２の他方の端部にナット５４で固定されている連結プレート５５と、この連結プレート５５に固定されている４本のストッパピン５６と、第二の可動壁３０の側面（最先端側面）３５を形成するフレームに固定されているガイドプレート５７と、解除ボタン５３を第二の可動壁３０から遠ざかる方向に付勢する復帰用スプリング５８と、ブラケット５１と第二の可動壁３０の側面３５を形成するフレームとの間に配されている緩衝用スプリング５９と、を有している。
【００３１】
ブラケット５１には、揺動軸５２が貫通する軸貫通孔５１ｃと、この軸貫通孔５１ｃと平行な方向に凹み解除ボタン５３が収まる凹部５１ａと、軸貫通孔５１ｃと平行な方向に凹み各ストッパピン５６の先端が入り込む４つのピン穴５１ｂとが形成されている。４つのピン穴５１ｂは、図１０に示すように、軸貫通孔５１ｃを中心として、９０°間隔で形成されている。従って、このピン穴５１ｂに入る４つのストッパピン５６も、揺動軸５２を中心として、９０°間隔で連結プレート５５に固定されている。復帰用スプリング５８は、揺動軸５２に挿通され、解除ボタン５３とブラケット５１の凹部５１ａの底面との間に配されている。緩衝用スプリング５９は、揺動軸５１に挿通され、ブラケット５１と第二の可動壁３０の側面３５との間に配されている。第二の可動壁３０の側面フレームに固定されているガイドプレート５７には、揺動軸５１が挿通する軸孔５７ｃと、ストッパピン５６が挿通するピン孔５７ｂとが形成され、揺動軸５１及びストッパピン５６のスライドをガイドする役目を担っている。
【００３２】
ロールカーテン機構４０のロール芯４２は、図１及び図６に示すように、通常、第二の可動壁３０の側面３５及び表面３１に平行な収納状態になっている。このとき、図１１（ａ）に示すように、ブラケット５１のピン穴５１ｂにストッパピン５６の先端が入り込んでおり、ロール芯４２を揺動させることができなようロック状態になっている。
【００３３】
ロールカーテン機構４０のカーテンシート４１を開く場合には、まず、図１１（ｂ）に示すように、解除ボタン５３をブラケット５１の凹部５１ａ内に押し込み、解除ボタン５３と一体になっている揺動軸５２、連結プレート５５及びストッパピン５６を固定壁側へ移動させる。この結果、復帰用スプリング５８が縮まると共に、ストッパピン５６がブラケット５１のピン穴５１ｂから外れ、ロール芯４２を揺動できる状態(解除状態)になる。この解除状態になった時点で、図２及び図６に示すように、ロール芯４２が第二の可動壁３０の表面３１に対して垂直な状態になるまで、ロール芯４２を９０°揺動させる。ロール芯４２を９０°揺動させると、図１１（ａ）に示すように、ブラケット５１のピン穴５１ｂにストッパピン５６が対向することになるため、縮んでいた復帰用スプリング５８が伸びて、ストッパピン５６、揺動軸５２、及び解除ボタン５３が固定壁から遠ざかる方向に移動し、ストッパピン５６がブラケット５１のピン穴５１ｂに入り込み、再びロック状態になる。ロール芯４２が第二の可動壁３０の表面３１に対して垂直になり且つロック状態になると、図２に示すように、ロール芯４２に巻き付けられているカーテンシート４１の端を下方に引いて、カーテンシート４１を開ける。
【００３４】
カーテンが開いている状態から閉じる場合には、カーテンシート４１をロール芯４２に巻き付けてから、解除ボタン５３を押して、ロール芯４２のロックを解除し、ロール芯４２を９０°揺動させて、図１及び図６に示す元の状態に戻す。
【００３５】
次に、本実施形態におけるパーテンション装置の取り扱いについて説明する。
【００３６】
このパーテンション装置は、前述したように、病院の入院患者用の大部屋を仕切るために用いる。パーテンション装置は、二つのベット間に配し、各ベットのパーテーション側の脚に、傾倒防止金具８２の取付部８２ａを挿通させて、二つのベット間に固定する。このパーテンション装置には、収納筐体８０が設けられているために、基本的には、自立性があり、傾倒防止金具８２を設ける必要がない。しかしながら、患者等がパーテーション装置に寄りかかった際に、このパーテーソン装置が倒れてしまうのを防ぐために、この傾倒防止金具８２を設けることが好ましい。
【００３７】
例えば、図３に示すように、全ての可動壁２０，３０が収納状態にあるものとする。このとき、隣のベットに寝ている患者との間のプライベートを確保したい場合には、収納筐体８０に設けられているスライドスイッチ８３ｃを押すと、固定壁１０内及び第一の可動壁２０内に設けられているスライド機構６０，６０が駆動し、第一の可動壁２０及び第二の可動壁３０が順次移動して、図１に示すように、それぞれが突出状態になる。また、第二の可動壁３０に設けられている取っ手３９を引いて、各可動壁２０，３０を突出状態にしてもよい。各可動壁２０，３０が突出状態になる際には、各可動壁２０，３０がそれぞれの表面２１，３１に平行にスライドするので、各可動壁２０，３０の表面２１．３１に対して垂直な方向に空間が無くても、各可動壁２０，３０の移動の妨げにならない。従って、パーテーション装置の回りの空間を有効利用することができる。また、各可動壁２０，３０は、いずれも剛性を有し且つ一定以上の厚さを有しているので、隣のベットに寝ている患者に、こちらの動作を見られることもないし、ある程度の遮音効果も期待できるので、比較的プライバシーを保つことができる。なお、この実施形態では、スライド機構６０を設けたが、コスト削減のために、この機構を省いてもよい。
【００３８】
また、例えば、医者にベット上で診断される場合には、各可動壁２０，３０を突出状態にしたまま、前述したようにカーテンを開ける。このように、カーテンを開けると、外部からの視界を完全に断ち切ることができるために、患者のプライバシーをより保つことができる。
【００３９】
患者が医師又は看護婦を呼びたい場合には、収納筐体８０に設けられている非常呼び出しスイッチ８３ａを押して、例えば、ナースステーションにその旨を知らせるか、または、操作スイッチ８３ｂを操作して、テレビ７５をテレビ電話として機能させ、医師又は看護婦と直接対話する。このとき、医師又は看護婦は、患者の様態をカメラ７４で撮像された画像から知ることができる。
【００４０】
見舞い者は、ベットの傍らで患者と話す際には、固定壁１０の表面１１に設けられている座板７６を倒し、この座板７６に座って、患者と話せばよい。
【００４１】
なお、以上の実施形態では、病院の大部屋を仕切るために用いたが、本発明はこれに限定されるものではなく、一般家庭内の部屋を仕切る場合や、オフィス内の例えば会議室等を仕切る場合に用いてもよい。これらの場合、使用される環境に応じて、固定壁１０や収納筐体８０に設ける備品を考慮することが好ましい。また、これらの場合は、ロールカーテン機構は、在ってもよいが、無くても格別不便でない。また、会議室を仕切る場合には、コンパートメント装置を比較的頻繁に移動させることが予想される。本実施形態では、このような場合も想定して、移動用のキャスタ１４ａ，３４ａ，８４ａが設けられている。
【００４２】
また、本実施形態では、二つの可動壁２０，３０を設けたが、これは、一つであっても、三つ以上でもあってもよい。
また、本実施形態では、二つの可動壁２０，３０の移動に、二つの駆動モータ６１，６１を用いたが、複数のチェーン等の伝達部材を用いて、一つの駆動モータで複数の可動壁２０，３０を移動させるようにしてもよい。
【００４３】
【発明の効果】
本発明によれば、固定壁及び可動壁が一定以上の厚さのある矩形板であるので、これらに仕切られている一方の空間と他方の空間との間でプライバシーをある程度保つことができる。また、可動壁は、固定壁の表面に平行にスライドして、収納状態と突出状態とになるので、可動壁の表面に対して垂直な方向に空間が無くても、可動壁の移動の妨げにならず、回りの空間を有効利用することができる。
【００４４】
また、固定壁の表面には、収納筐体が設けられているので、自立性を確保できる上に、備品の収納等が可能で使い勝手を向上させることができる。
さらに、カーテン機構を備えているものでは、固定壁及び可動壁と、このカーテン機構とで、それぞれ異なる方向を仕切ることができるので、よりプライバシーを保つことができる。
【図面の簡単な説明】
【図１】本発明に係る実施形態としてのパーテーション装置の斜視図（可動壁が突出状態）である。
【図２】本発明に係る実施形態としてのパーテーション装置の斜視図（可動壁が突出状態で且つカーテンが使用状態）である。
【図３】本発明に係る実施形態としてのパーテーション装置の斜視図（可動壁及びカーテンが収納状態）である。
【図４】図１におけるIＶ矢視図である。
【図５】図１におけるＶ矢視図である。
【図６】図１におけるＶＩ矢視図である。
【図７】図５におけるＶII−ＶII断面図である。
【図８】図３におけるＶIII−ＶIII端面図である。
【図９】本発明に係る実施形態としてのストッパ機構の斜視図である。
【図１０】本発明に係る実施形態としてのカーテン機構の要部正面である。
【図１１】図１０におけるＸＩ−ＸＩ断面図である。
【図１２】図１０におけるＸII−ＸII断面図である。
【図１３】本発明に係る実施形態としてのスライド機構の斜視図である。
【符号の説明】
１０…固定壁、１１，２１，３１…表面、１４ａ，３４ａ，８４ａ…キャスタ、１５，２５…開口、１７，２７，３７…スライドレール、２０…第一の可動壁、３０…第二の可動壁、３５…側面、３９…取っ手、４０…カーテン機構、４１…カーテンシート、４２…ロール芯、５０…揺動支持機構、６０…スライド機構、７６…座板、８０…収納筐体。
【図１】
0003662748.tif 000002
【図２】
0003662748.tif 000003
【図３】
0003662748.tif 000004
【図４】
0003662748.tif 000005
【図５】
0003662748.tif 000006
【図６】
0003662748.tif 000007
【図７】
0003662748.tif 000008
【図８】
0003662748.tif 000009
【図９】
0003662748.tif 000010
【図１０】
0003662748.tif 000011
【図１１】
0003662748.tif 000012
【図１２】
0003662748.tif 000013
【図１３】
0003662748.tif 000014